(57)【要約】      （修正有）【課題】贈答品そのもの、又は、贈答品を収容する収容箱や収容紙等の被装飾体に対して贈答品として望まれるべき装飾性，審美性を担保しつつ、贈答品の送り先に対して簡単にメッセージを表示でき、かつ、インテリア等の部材として活用することができる装飾体を提供する。【解決手段】被装飾体に巻きつけられる帯状装飾体１であって、帯状装飾体１の一方の表面が印刷面１Ａであって、帯状装飾体自体の形状を規定する輪郭形状が印刷面１Ａに沿った形状であり、かつ、印刷面に印書表示領域５を配して構成する。【選択図】図１
0003156711.tif 000002
【実用新案登録請求の範囲】
【請求項１】
被装飾体に巻きつけられる帯状装飾体であって、
前記帯状装飾体は、一方の表面に印刷面を有し、かつ、輪郭形状が前記印刷面に沿った形状であり、
前記印刷面に印書表示領域を有することを特徴とする帯状装飾体。
【考案の詳細な説明】
【技術分野】
【０００１】
本考案は、帯状の装飾体に関し、特に文字、イラスト等によるメッセージを表示可能な印書表示領域を有する装飾体に関する。
【背景技術】
【０００２】
従来、贈答品が収容された包装箱や包装紙等に対して装飾やメッセージ表示を施す手段としては、包装箱や包装紙全体にリボンを巻きつけることや、包装箱や包装紙の表面に熨斗紙を貼付することが一般的である。
しかしながら、リボンによる装飾にあっては、送り先にメッセージを伝えるために別途メッセージカードや封書を添付する必要があり、熨斗紙によるメッセージ表示にあっては、送り先にメッセージを表示することはできるものの、熨斗紙は単に矩形に裁断された紙片であるため贈答品として望まれるべき装飾性に欠けるという欠点がある。
また、両者は贈答の用のみに供されるものであるため、贈答品が送り先の手に届いた後には破断，切断，廃棄されることが多く、その他の用に有効に供することができないという欠点がある。
【先行技術文献】
【特許文献】
【０００３】
【特許文献１】実開平５−６９１９１号公報
【考案の概要】
【考案が解決しようとする課題】
【０００４】
そこで、本考案は、贈答品そのもの、又は、贈答品を収容する収容箱や収容紙等の被装飾体に対して贈答品として望まれるべき装飾性，審美性を担保しつつ、贈答品の送り先に対して簡単にメッセージを表示でき、かつ、インテリア等の部材として活用することができる装飾体を提供する。
【課題を解決するための手段】
【０００５】
本考案に係る帯状装飾体は、被装飾体に巻きつけられる帯状装飾体であって、帯状装飾体の一方の表面が印刷面であって、帯状装飾体自体の形状を規定する輪郭形状が印刷面に沿った形状であり、かつ、印刷面に印書表示領域を有することを特徴とする。
本構成からなる帯状装飾体によれば、印刷面に任意の図形や図柄を印刷し、帯状装飾体自体の輪郭形状を印字された図形や図柄に沿った形状とすることにより、帯状装飾体を多様な形状とすることができ、印刷面に表現された図形や図柄と相俟って帯状装飾体全体に装飾性，審美性を持たせることができる。
また、印刷面に印書表示領域が存在することから送り先に対して伝えたいメッセージを簡単に表記することができる。
【図面の簡単な説明】
【０００６】
【図１】本考案に係る帯状装飾体の全体図である。
【図２】帯状装飾体の領域Ｒを示す拡大図である。
【図３】帯状装飾体を被装飾体に巻きつけたときの正面図である。
【図４】複数の帯状装飾体が印刷された台紙の平面図である。
【図５】他の形態に係る帯状装飾体の拡大図である。
【考案を実施するための形態】
【０００７】
以下、考案の実施形態を通じて本考案を詳説するが、以下の実施形態は実用新案登録請求の範囲に係る考案を限定するものではなく、また実施形態の中で説明される特徴の組み合わせの全てが考案の解決手段に必須であるとは限らず、選択的に採用される構成を含むものである。
【０００８】
図１は、本考案に係る帯状装飾体１の全体図である。
帯状装飾体１は、例えば表面に多様な色彩が付された紙材等により構成される帯状体であって、一端部２の裏面と他端部３の表面とを両面テープや接着材等を用いて貼り合わせることにより贈答品や、贈答品を包装する包装箱等の被装飾体に対して巻き回すことが可能である。また、帯状装飾体１は一方の表面が印刷面１Ａとして形成され、例えばリーフ形状の図柄が印刷される。
【０００９】
図２は、図１における領域Ｒの範囲の拡大図であって、同図において帯状装飾体１は、多様な輪郭形状を有する装飾体構成片４が連続することにより構成される。
各装飾体構成片４は、例えば、同図に示すリーフ型の輪郭形状の他、果物の輪郭形状、花の輪郭形状等、印刷面１Ａの形状に沿った形状であればよく、帯状装飾体１全体としての審美性を醸成するために各装飾体構成片４が異なった輪郭形状，向き，大きさ、即ち、延長方向に沿って不連続な配列となるように印刷面１Ａを形成するのがよい。
また、各装飾体構成片４は個別に作成された各装飾体構成片４同士をピン等によって上下方向に重ねた状態で結合させてもよいが、図２（ｂ）に示すように、後述する単一の台紙１０から予め各装飾体構成片４の輪郭形状Ｐを有する金型により切り抜くことにより作成すれば、各装飾体構成片４が一体に連続する帯状装飾体１を得ることができるので好適である。
【００１０】
図１に示すように、帯状装飾体１の印刷面１Ａの一部には、矩形の印書表示領域５が形成される。印書表示領域５は、帯状装飾体１を巻き付けたときに表面となる印刷面１Ａ上に形成される領域であって、帯状装飾体１の略中央部に形成するのが好ましい。当該印書表示領域５には、贈答品を贈る者が送り先に対して例えば「ありがとう」，「ＨＡＰＰＹ  ＶＡＬＥＮＴＩＮＥ」等のメッセージを書き込めるようになっている。
また、印書表示領域５を印刷面１Ａの一部の領域として形成するのではなく、帯状装飾体１を作成した後に、任意の場所に別途の紙片を貼付することにより形成してもよい。
【００１１】
図３に示すように、帯状装飾体１は被装飾体としての包装箱６に巻き付けられる。同図において包装箱６は例えば前方開口の矩形状の木箱であり、内部に図外の贈答品が収容されている。
本例において帯状装飾体１は、木箱の開口を縦断するように巻き付けられる。巻き付けの際には、送り先の者が見易いように印書表示領域５が包装箱６の高さ方向中央に位置するように巻きつけるのが望ましい。
帯状装飾体１の一端部２と他端部３とは、包装箱６の背面において両面テープや接着剤等の固着手段により結合される。
なお、被装飾体の形状はこれに限られるものではなく、また、贈答品自体、或いは、贈答品を包装する包装紙に巻き付けるようにしてもよい。
【００１２】
以下、帯状装飾体１の製造工程について説明する。
図４は、単一の台紙１０上にカラー印刷された帯状装飾体１´であって台紙１０上には複数の帯状装飾体１´の輪郭形状を有する印刷領域が並列的に配置される。なお、台紙１０上にカラー印刷される帯状装飾体１´は図１及び図２における帯状装飾体１よりも僅かに大きく、又は、その輪郭が太く印刷され、後に実行される切り抜き工程によって輪郭が欠損しないようになっている。
台紙１０上における帯状装飾体１´を構成する各装飾体構成片４´や印書表示領域５には様々な着色が施され、各装飾体構成片４´を縦断する葉脈や、リーフとしての風合いを醸成する色合い、印書表示領域５を縁取る意匠形状等が描写される。
【００１３】
各帯状装飾体１´は、金型１１によって台紙１０から切り抜かれる。金型１１は、帯状装飾体１と相似形の輪郭形状を有し、帯状装飾体１´よりも僅かに小さく形成される下方開口の金型であって、開口部を形成する下方縁が刃先として形成される。
そして、当該金型１１は、プレス機等の押圧装置等にセットされ下方に押し下げられることにより、台紙１０から成型品としての帯状装飾体１を切り抜く。
なお、台紙１０から完全に帯状装飾体１を切り抜くのではなく、帯状装飾体１´の輪郭形状に沿ったミシン目を入れることにより、台紙１０から簡単に帯状装飾体１を切り離すことができる構成としてもよい。
【００１４】
台紙１０より切り抜かれた帯状装飾体１には、強度を担保するためのＰＰ（ポリプロピレン）加工が施される。ＰＰ加工は、帯状装飾体１における印刷面１Ａの裏側面にポリプロピレンを塗布する工程であって、当該工程により帯状装飾体１の縦横方向における引張り強さが付与される。
【００１５】
以上説明したとおり、本考案に係る帯状装飾体１は、輪郭形状が印刷面１Ａに沿った形状であることから、見た目の美しさを醸成することが可能であり、かつ、印刷面１Ａが印書表示領域５を有することから送り先に対するメッセージを容易に表記することが可能となる。
さらに、ＰＰ加工によって一定の強度が付与されているので、見た目の美しい帯状装飾体１をインテリア等の他の用に供することができる。
【００１６】
図５は、他の形態に係る帯状装飾体１の拡大図である。
本形態における帯状装飾体１の一端部２と他端部３には係合手段が形成される。係合手段は、一端部２に形成されるフック１５と、他端部３に形成される係合孔１６によって構成される。フック１５は他端部３側に突出する鉤状の紙片であって、当該フック１５を矩形に開設される係合孔１６に差し込むことにより両端部を簡単に係合状態とすることができる。
なお、係合手段は上記例に限られるものではなく、一端部２に切り込みを入れ、他端部３を一端部２に差し込むことによって、両端部を係合する構成としてもよい。
【００１７】
以上、本考案を実施の形態を用いて説明したが、本考案の技術的範囲は上記実施の形態に限定されるものではない。上記実施の形態に多様な変更、改良を加え得ることは当業者にとって明らかであり、そのような変更又は改良を加えた形態も本考案の技術的範囲に含まれ得ることが、実用新案登録請求の範囲の記載から明らかである。
【符号の説明】
【００１８】
１  帯状装飾体、１Ａ  印刷面、１´  帯状装飾体、２  一端部、３  他端部、
４  装飾体構成片、４´  装飾体構成片、５  印書表示領域、６  包装箱、
１０  台紙、１１  金型、１５  フック、１６  係合孔。
【図１】
0003156711.tif 000003
【図２】
0003156711.tif 000004
【図３】
0003156711.tif 000005
【図４】
0003156711.tif 000006
【図５】
0003156711.tif 000007